(57)【要約】本発明は磁気共鳴撮影処理中の内腔内操作のための長尺医療装置（１５０，２００）に関する。この装置は長尺本体（２１０）を含む。押し出し成型材料（４５０）は、長尺本体（２１０）に一体化されるとともに、複数の常磁性イオンを有する物質を組み込んでいる親水性ポリマーを含んでいる。押し出し成型材料（４５０）は、磁気共鳴撮影処理中の磁気共鳴視感度を向上させるように構成される。
2005531335.tif 000002
【特許請求の範囲】
【請求項１】
磁気共鳴撮影処理中の内腔内操作のための長尺医療装置において、
長尺本体と、
複数の常磁性イオンを有する物質を組み込む親水性ポリマーを含む押し出し成型材料とからなり、
前記押し出し成型材料が、前記長尺本体と一体化されて、前記磁気共鳴撮影処理中の磁気共鳴視感度を向上させるように構成されている長尺医療装置。
【請求項２】
前記複数の常磁性イオンを有する物質が、常磁性金属塩からなる請求項１の長尺医療装置。
【請求項３】
前記複数の常磁性イオンを有する物質が、常磁性金属キレートからなる請求項１の長尺医療装置。
【請求項４】
前記複数の常磁性イオンを有する物質が、常磁性金属複合物からなる請求項１の長尺医療装置。
【請求項５】
前記複数の常磁性イオンを有する物質が、常磁性のガドリニウム材料からなる請求項１の長尺医療装置。
【請求項６】
前記複数の常磁性イオンを有する物質が、ガドリニウムジエチレントリアミンペンタ酢酸材料からなる請求項１の長尺医療装置。
【請求項７】
前記親水性ポリマーが、
酸化ポリエチレン、酸化ポリプロピレン、ポリビニルピロリドン、親水性ポリウレタン、ポリカルボキシル酸、セルロースポリマー、ゼラチン、無水マレイン酸ポリマー、ポリアミド、ポリビニルアルコール、酸化ポリエチレン、およびポリアクリル酸からなるグループから選択された材料である請求項１の長尺医療装置。
【請求項８】
前記長尺本体が、外側面および内側内腔面を有する長尺管状本体であり、前記押し出し成型材料が前記内側内腔面の最も近くに配置されている請求項１の長尺医療装置。
【請求項９】
前記押し出し成型材料が、その中に親水性ポリマーを有する構造ポリマーをさらに含む請求項１の長尺医療装置。
【請求項１０】
前記長尺本体が、外側面および内側内腔面を有する管状長尺本体であり、
前記押し出し成型材料が前記外側面の最も近くに配置されている請求項１の長尺医療装置。
【請求項１１】
前記長尺本体が、外側面および内側内腔面を有する管状長尺本体であり、前記押し出し成型材料が前記外側面および内側内腔面双方の最も近くに配置されている請求項１の長尺医療装置。
【請求項１２】
能動的磁気共鳴撮影能力を向上させる装置アンテナをさらに含む請求項１の長尺医療装置。
【請求項１３】
装置アンテナとして動作するように構成され、能動的ＭＲＩ画像を強調させる補強構造をさらに備えている請求項１の長尺医療装置。
【請求項１４】
前記押し出し成型材料が共有押し出し成型材料であり、
該共有押し出し成型材料が、
複数の常磁性イオンを有する物質を組み込んでいる常磁性ポリマーからなり、磁気共鳴視感度を向上させるように構成された第１の共有押し出し成型構成要素と、
構造ポリマーからなり、構造支持部を構成する第２の共有押し出し成型構成要素とからなる請求項１の長尺医療装置。
【請求項１５】
前記親水性ポリマーが、
酸化ポリエチレン、酸化ポリプロピレン、ポリビニルピロリドン、親水性ポリウレタン、ポリカルボキシル酸、セルロースポリマー、ゼラチン、無水マレイン酸ポリマー、ポリアミド、ポリビニルアルコール、酸化ポリエチレン、およびポリアクリル酸からなるグループから選択された材料を含んでいる請求項１４の長尺医療装置。
【請求項１６】
前記構造ポリマーが、
ナイロン、ＰＥＢＡＸ、ポリウレタン、ポリエチレン、ＰＥＥＫ、ポリイミド、ポリエステルアミドコポリマー、およびポリエチールアミドコポリマーからなるグループから選択された材料を含んでいる請求項１４の長尺医療装置。
【請求項１７】
前記共有押し出し成型材料が耐久性を向上させるように架橋されている請求項１４の長尺医療装置。
【請求項１８】
前記複数の常磁性イオンを有する物質が、常磁性金属塩からなる請求項１４の長尺医療装置。
【請求項１９】
前記複数の常磁性イオンを有する物質が、常磁性金属キレートからなる請求項１４の長尺医療装置。
【請求項２０】
前記複数の常磁性イオンを有する物質が、常磁性金属複合体からなる請求項１４の長尺医療装置。
【請求項２１】
前記共有押し出し成型材料が共有押し出し成型を使って前記長尺医療装置と一体化され、
前記第１および第２の共有押し出し成型構成要素が、一方の共有押し出し成型構成要素が他方の上に層として共有押し出し成型されている請求項１４の長尺医療装置。
【請求項２２】
前記共有押し出し成型材料が共有押し出し成型を使って前記長尺医療装置と一体化され、
前記第１および第２の共有押し出し成型構成要素が、縞模様に共有押し出し成型されている請求項１４の長尺医療装置。
【請求項２３】
前記共有押し出し成型材料が共有押し出し成型を使って前記長尺医療装置と一体化され、
前記第１および第２の共有押し出し成型構成要素が、螺旋模様に共有押し出し成型されている請求項１４の長尺医療装置。
【請求項２４】
前記複数の常磁性イオンを有する物質が、ガドリニウム材料からなる請求項１４の長尺医療装置。
【請求項２５】
前記複数の常磁性イオンを有する物質が、ガドリニウムジエチレントリアミンペンタ酢酸材料からなる請求項１４の長尺医療装置。
【請求項２６】
前記長尺本体が、外側面および内側内腔面からなる管状長尺本体であり、
前記共有押し出し成型材料が、前記内側内腔面の最も近くに配置されている請求項１４の長尺医療装置。
【請求項２７】
前記長尺本体が、外側面および内側内腔面からなる管状長尺本体であり、
前記共有押し出し成型材料が、前記外側面の最も近くに配置されている請求項１４の長尺医療装置。
【請求項２８】
前記長尺本体が、外側面および内側内腔面からなる管状長尺本体であり、
前記共有押し出し成型材料が、前記外側面および内側内腔面の両方の最も近くに配置されている請求項１４の長尺医療装置。
【請求項２９】
医療装置を準備し、
該医療装置に複数の常磁性イオンを有する物質を組み込んでいる常磁性ポリマーを一体化させる医療装置構成方法。
【請求項３０】
前記医療装置に対する親水性ポリマーの一体化が、
バルーン装置に対する親水性ポリマーの一体化である請求項２９の医療装置構成方法。
【請求項３１】
前記医療装置に対する親水性ポリマーの一体化では、
構造ポリマーを複数の常磁性イオンを有する物質を組み込んだ親水性ポリマーと組み合わせて前記医療装置の面上に共有押し出し成型する請求項２９の医療装置構成方法。
【請求項３２】
前記親水性ポリマーおよびこれに組み込まれた複数の常磁性イオンの少なくとも一つの部分が露出したままとなるように、前記医療装置に対する最終被覆の少なくとも一つに適用される請求項２９の医療装置構成方法。
【請求項３３】
前記医療装置の少なくとも最終被覆の上に対する適用において、
潤滑性被覆を医療装置に適用する請求項３２の医療装置構成方法。
【請求項３４】
前記医療装置の少なくとも最終被覆の上に対する適用において、
治療薬品を含有する被覆を医療装置に適用する請求項３２の医療装置構成方法。
【請求項３５】
磁気共鳴撮影処理中の内腔内操作のための長尺医療装置において、
長尺本体と、
複数の常時性粒子を有する物質を合成する親水性ポリマーを含む押し出し成型材料とを備え、
前記押し出し成型材料が、前記長尺本体と一体化され、前記磁気共鳴撮影処理中の磁気共鳴視感度を向上させるように構成されている長尺医療装置。
【請求項３６】
前記複数の常磁性粒子が、超磁性酸化鉄からなる請求項３５の長尺医療装置。
【請求項３７】
前記複数の常磁性粒子が、酸化ジスプロジウムからなる請求項３５の長尺医療装置。
【請求項３８】
前記押し出し成型材料が、共有押し出し成型材料であり、
該共有押し出し成型材料が、
複数の常磁性粒子を有する物質を組み入れる親水性ポリマーからなり、磁気共鳴視感度を向上させるように構成された第１の共有押し出し成型構成要素と、
構造ポリマーからなり、構造支持部を構成する第２の共有押し出し成型構成要素とからなる請求項３５の長尺医療装置。
【請求項３９】
磁気共鳴撮影処理中の内腔内操作のための長尺医療装置において、
長尺本体と、
親水性ポリマーを含む共有押し出し成型材料とを備え、
前記押し出し成型材料が、前記長尺本体と一体化され、前記磁気共鳴撮影処理中の磁気共鳴視感度を向上させるように構成されている長尺医療装置。
【請求項４０】
前記親水性ポリマーが、
酸化ポリエチレン、酸化ポリプロピレン、ポリビニルピロリドンおよび親水性ポリウレタン、ポリカルボキシル酸、セルロースポリマー、ゼラチン、無水マレイン酸ポリマー、ポリアミド、ポリビニルアルコール、酸化ポリエチレン、およびポリアクリル酸からなるグループから選択された材料である請求項３９の長尺医療装置。
【請求項４１】
前記長尺本体が外側面および内側内腔面を有する管状長尺本体であり、
前記押し出し成型材料が前記内側内腔面の最も近くに配置されている請求項３９の長尺医療装置。
【請求項４２】
前記押し出し成型材料が、前記親水性ポリマー中に合成された構造ポリマーをさらに備えている請求項３９の長尺医療装置。
【請求項４３】
前記長尺本体が外側面および内側内腔面を有する管状長尺本体であり、
前記押し出し成型材料が前記外側面の最も近くに配置されている請求項３９の長尺医療装置。
【請求項４４】
前記押し出し成型材料が、共有押し出し成型材料であり、
該共有押し出し成型材料が、
親水性ポリマーからなり、磁気共鳴視感度を向上させるように構成された第１の共有押し出し成型構成要素と、
構造ポリマーからなり、構造支持部を提供するように構成された第２の共有押し出し成型構成要素とからなる請求項３９の長尺医療装置。
【請求項４５】
装置アンテナとして動作し、能動的ＭＲＩ画像を強調させるように構成されている補強機構を備えている請求項３９の長尺医療装置。
【請求項４６】
向上された磁気共鳴視感度を有する医療装置の構成方法において、
医療装置を準備し、
該医療装置に
親水性ポリマーからなる材料を一体化させる医療装置構成方法。
【請求項４７】
前記医療装置に対する親水性ポリマーの一体化が、
バルーン装置への親水性ポリマーの一体化である請求項４６の医療装置構成方法。
【請求項４８】
向上された磁気共鳴撮影視感度を有する医療装置使用方法において、
一体化された親水性ポリマーを組み入れる医療装置を準備し、
前記親水性ポリマーに液体を吸収させ、
磁気共鳴撮影処理の間、患者体内の内腔内環境で前記医療装置を使用する医療装置使用方法。
【請求項４９】
前記医療装置の少なくとも一部分を予備浸漬して、前記親水性ポリマーに液体を吸収させる請求項４８の医療装置使用方法。
【請求項５０】
前記医療装置の少なくとも一部分を患者の体液環境に導入して、前記親水性ポリマーに液体を吸収させる請求項４８の医療装置使用方法。
【請求項５１】
複数の常磁性イオンを有する物質を含む一体化された親水性ポリマーを組み入れる医療装置を準備することで、一体化された親水性ポリマーを組み入れる前記医療装置の準備を行う請求項４８の医療装置使用方法。
【請求項５２】
前記医療装置の少なくとも一部分を予備浸漬して、前記親水性ポリマーに液体を吸収させる請求項５１の医療装置使用方法。
【請求項５３】
前記医療装置の少なくとも一部分を患者の体液環境に導入して、前記親水性ポリマーに液体を吸収させる請求項５１の医療装置使用方法。
【発明の詳細な説明】
【技術分野】
【０００１】
本発明は、磁気共鳴撮影において使用するための内腔内装置全般に関する。特に、本発明は、磁気共鳴視感度向上材料を含み、磁気共鳴撮影に使用するように構成された内腔内装置に関する。
【背景技術】
【０００２】
磁気共鳴撮影（ＭＲＩ）は健康な組織を冒さない医療方法であり、磁石と無線波とを使って体内の画像を生成する。ＭＲＩスキャナは身体を電離放射線（Ｘ線）にさらさずに体内の画像を生成することが可能である。さらに、ＭＲＩ走査では、骨を透視して、軟性身体組織の詳細画像を提供することができる。
【０００３】
一般的なＭＲＩスキャナは強力な均等磁界を作るために使用される磁石を含む。患者は磁石内部あるいはその近くに置かれる。強力な磁界が患者体内の原子を整列させる。無線波は患者の体に指向され、患者の体腔組織内の原子を付勢してその原子自体の無線波を放出させる。これらの戻り無線波は信号（共鳴信号）を形成し、この信号は患者の身体周囲の多方向の角度でスキャナによって検出される。この信号は、情報を処理して一つの画像もしくは複数の画像を編集（コンパイル）するコンピュータに送られる。必須ではないが、一般的に画像は二次元の「スライス」画像形式である。
【０００４】
ある種のＭＲＩの適用では、コントラスト作用材（エージェント）としても知られるコントラスト媒体（メディア）を使用する。一般的に、コントラスト媒体は常磁性材料を含有し、患者の血流内に注射される。このコントラスト媒体は、その近くに位置している血液および身体組織内に含有されている原子の、磁界に対する固有の応答を変化させる。この方法におけるコントラスト媒体は、血流が追跡されること、および／またはＭＲＩ検出のための高い感度、および種々の身体組織の特徴付けを可能にする。
【０００５】
周期表元素のガドリニウムはコントラスト媒体の範疇（コンテキスト内）で使用されてきた物質の一例である。ガドリニウムはその外殻内に、それを事実上常磁性にさせる８個の非対電子を有する。ガドリニウムは、キレータと化合した場合に常磁性を保持するので、身体への露光用として比較的安全である。
【０００６】
ある種のＭＲＩの適用においては、ガドリニウムベースのコントラスト媒体が静脈注射によって体内に導入される。患者の血流内に注入されたとき、ガドリニウムは、その近くに位置している血液および身体組織内に含有されている原子の、磁界に対する固有の応答を変化させる。特に、ガドリニウムは、ガドリニウム分子近くの領域内の血液および組織内に含有されている原子の緩和時間を短縮する。ＭＲＩ処理中、ガドリニウムベースのコントラスト媒体に起因する緩和時間の短縮は、原子の領域内が強調されるか輝度が上げられた画像に変換して表現される。
【発明の開示】
【発明が解決しようとする課題】
【０００７】
ある種のＭＲＩの適用例においては、ＭＲＩ処理中に、カテーテルおよびその他の内腔内装置が体内に挿入される。内腔内という環境の下で、で前記装置の位置決め、追跡および配置ができることが望ましい。ＭＲＩ視感度を増大するため、コントラスト媒体と同様の物質（すなわち、常磁性物質）を内腔内装置の少なくとも一部分に直接配置してもよい。医療装置の内腔内操作に関係する一般的な環境条件の下では、静止した身体組織（stationary body tissue）および体液に対して内腔内装置を露出することは制限される。結果的に、体液／組織と内腔内装置上に配置された材料との間の相互作用も制限される。
【０００８】
本発明は、少なくともこれら並びにその他の問題点を処理し、従来技術を超える効果を提供する。
【課題を解決するための手段】
【０００９】
本発明は、磁気共鳴撮影処置中に患者を通って前進されるように適合された内腔内装置に関する。特に、本発明は、磁気共鳴視感度向上材料を組み入れた前記内腔内装置の一つもしくはそれ以上の構造を提供する。本発明を特徴付ける効果だけでなく、これらおよびその他の種々の特徴が以下の詳細な説明および関連する図面のレビューを読むことによって明らかになる。
【発明を実施するための最良の形態】
【００１０】
図１は、本発明によるいくつかの実施例が利用できる磁気共鳴撮影システムの一例の部分ブロック図である。図１において、支持台１１０上の患者１００は、磁界発生器１２０で発生される均等な磁界内に置かれている。磁界発生器１２０は、一般的には、患者１００を受容できる円筒状磁石からなる。磁界勾配発生器１３０は、予め決められた時間に、互いに直角である３方向で予定強さの勾配磁力線を形成する。磁界勾配発生器１３０は、例えば、磁界発生器１２０内に同心に配備された１組の円筒状コイルからなる。カテーテルとして図示された装置１５０が挿入される患者１００の患部は、磁界発生器１２０の口径のほぼ中央に位置している。例えば、装置１５０はガイドワイヤもしくはその他のいくつかの内腔内装置であることができる。
【００１１】
ＲＦ発生源１４０は、当業者に周知の方法によって核磁気スピンに影響を及ぼすために、予め定められた時間、予め定められた周波数の、十分な強さで、パルス状無線周波数エネルギを患者１００および装置１５０に照射する。スピンに及ぼす影響は、これらのスピンをラーモア周波数値で共振させる。各スピンのラーモア周波数は、スピンに影響する磁界の強さに正比例する。この磁界の強さは、磁界発生器１２０による静電磁界強さと磁界勾配発生器１３０による局地磁界強さとの和である。実施例におけるＲＦ発生源１４０は、患者１００の患部の周囲を取り囲む円筒状の外部コイルである。この外部コイルは、患者１００の全身を囲い込むための十分な直径を有することができる。頭部や手足などを撮影できるよう専用に設計された小さな円筒など、その他の形状を代わりに使うこともできる。表面コイルなどの非円筒状の外部コイルを代わりに利用することもできる。
【００１２】
装置１５０は、操作担当者により患者１００内に挿入される。例えば、装置１５０は、ガイドワイヤ、カテーテル、剥離(ablation)装置、あるいは同様の再疎通器、またはある種のその他の内腔内装置であってもよい。
【００１３】
限定されない一つの実施例において、装置１５０は、例えば、ＲＦ発生源１４０によって生成される無線周波数電界に応答して患者および装置１５０の両方で発生する磁気共鳴（ＭＲ）信号を検知するためのＲＦアンテナを備える。内部装置アンテナは小型であるため、感知域も同じく狭い。その結果、検出信号は、アンテナに近い区域の磁界の強度だけから発生するラーモア周波数信号となる。この装置アンテナで検知された信号は、導体１８０を経由して撮影追跡制御装置ユニット１７０へ送られる。本発明の範囲内では、装置１５０に装置アンテナを組み込む必要がないことが強調されるべきである。
【００１４】
一つの実施例において、以下に記述する一体化された磁気共鳴視感度向上材料を有する実施例の医療装置（限定されないが、例えばカテーテル）は、装置アンテナとの組み合わせで使用されることができ、この装置アンテナの追跡および位置決めを支援する。この特徴の組み合わせにより、例えば受動および能動的に画像を強調させる。
【００１５】
外部ＲＦ受信機１６０は、例えば、ＲＦ発生源１４０で生成された無線周波数電界に応答して患者から発生されるＲＦ信号を検知する。一例として、外部ＲＦ受信機１６０は、患者１００の患部を取り囲むような円筒状の外部コイルで構成される。そのような外部コイルの直径は、患者１００の全身を囲めるサイズである。その他の形状として、頭部や手足などを撮影できるよう専用に設計された小さな円筒などを代わりに使用できる。表面コイルなどの非円筒状の外部コイルを代わりに使用することもできる。外部ＲＦ受信器１６０は、その構造の一部または全部をＲＦ発生源１４０と共有してもよいし、あるいは、ＲＦ発生源１４０から完全に独立した構造とすることもできる。ＲＦ受信機１６０の感知域は、装置アンテナの感知域よりも広いため、患者１００全体、または、患者１００の特定の領域だけを取り囲むことができる。しかしながら、外部ＲＦ受信機１６０から得られる解像度は、装置アンテナの解像度よりも低い。外部ＲＦ受信機１６０で検知されたＲＦ信号も、前記撮影追跡制御装置１７０へ送られ、装置アンテナで検知されたＲＦ信号とともに分析される。
【００１６】
本発明の一実施例において、外部ＲＦ受信機１６０はＲＦ発生源１４０によって生成された無線周波数域に応答して装置１５０から発せられるＲＦ信号を検出する。例えば、これらの信号は撮影追跡制御装置ユニット１７０に送られて装置１５０の画像に変換される。一つの実施例では、前記装置１５０の位置は、撮影追跡制御装置ユニット１７０によって制御され、表示手段１９０に表示される。一つの実施例では、装置１５０の位置は、外部ＲＦ受信機１６０によって得られた通常のＭＲ画像上へグラフィック記号を重ね合わせて表示手段１９０上に表示される。別の方法として、最初の追跡動作前に外部ＲＦ受信機１６０で画像を作成して、追跡される装置の位置を示す記号を、その予め作成された画像上に重ねて表示することもできる。本発明の別の実施例では、診断画像を参照することなく数値もしくはグラフィック記号で装置位置を表示する。
【００１７】
図２は、図１に関して上述した装置１５０と同様に使用することができる装置の一実施例の側面図である。具体的には、図２は本発明の一実施例に係る磁気共鳴カテーテル２００（ＭＲカテーテル２００）の側面図である。ＭＲカテーテル２００は、基部近くの端部２２０および末端２３０を有する長尺本体２１０を含む。例えば、アンテナ２４０が末端２３０近くに付加的に配置され、図１に関して記述したように動作する。
【００１８】
図３の従来技術は、カテーテル３００として示される一般的なカテーテルの拡大断面図である。カテーテル３００は外周部３１０および軸３２０を含む。カテーテル３００はまた内腔３３０を含む。内腔３３０は例えば同軸の管状カテーテル本体３３５（本体３３５）によって形成され、範囲を限定される。本体３３５は一般的には可撓性のポリマー材料もしくはその他のある種の可撓性材料で構成される。本体３３５は下地材料の任意の同軸層３４０を含む。任意層３４０は一般的に、ウレタン、ＰＶＣ、ポリアミド、シリコーン、ＰＴＦＥ、ポリウレタン、もしくはその他のなんらかの同等材料で構成される。本体３３５は、任意の同軸外部保護層３４５を含む。本体３３５、任意層３４０および任意層３４５は、いずれも、追加的な層とともに形成することができる。例えば、特定の機械的性質を改善するための補強層を含むことができる。図３の従来技術は、本発明の実施例をよりよく例示する比較目的で提供した。
【００１９】
本発明の一実施例に係る図４は、図２の線４−４に沿ったＭＲカテーテル２００の拡大断面図である。図４に記載されたように、ＭＲカテーテル２００は外周部４１０および軸４２０を含み、例えば、少なくとも基端２２０から末端２３０（図２）までそれぞれ延長される。ＭＲカテーテル２００はまた、例えば端部２２０および２３０間に延長している内腔４３０を含む。追加的な内腔を有するカテーテル（複数内腔カテーテル）が、本発明の範囲内で考慮されるべきである点に注意されなければならない。
【００２０】
図４によってさらに参照される内腔４３０は、例えば同軸に形成された管状カテーテル本体４３５（本体４３５）によって形成され、範囲が限定される。一つの実施例において、本体４３５は可撓性のポリマー材料で構成される。しかしながら、本体４３５は本発明の範囲から逸脱することなくその他の材料で構成することができる。
【００２１】
本体４３５は下地材料である任意の同軸層４４０を含む。例えば、追加的な層４４０は、ウレタン、ＰＶＣ、ポリアミド、シリコーン、ＰＴＦＥ、ポリウレタン等、もしくはその他のある種の材料で構成することができる。本体４３５はさらに任意の同軸外部保護層４４５を含む。任意層４４５は例えば潤滑被覆で形成することができる。本発明の範囲から逸脱することなく、本体４３５、任意層４４０および任意層４４５のいずれかは、例えば、追加層とともに形成することができる。例えば、特定の機械的性質を改善するために補強層を含めることができる。一つの実施例においては、補強層が含まれ、この補強層は内部ＲＦアンテナつまり装置アンテナとして動作して能動的ＭＲＩ画像強調を与えるように構成される。
【００２２】
さらに、図４に関して、本発明の一実施例に係るＭＲカテーテル２００は、本体４３５の内側（内腔４３０近く）および本体４３５の外側に配置される磁気共鳴視感度向上材料（ＭＲ材料４５０）をさらに含む。本発明の実施例に関して、磁気共鳴材料４５０は本体４３５の内側もしくは本体４３５の外側のいずれかの上に配置できることに注意されなければならない。さらに、ＭＲ材料４５０は例示のように必ずしも同軸状に連続している必要はない。また、ＭＲ材料４５０は本発明の範囲から逸脱することなく例えば例示より薄いか厚いかする一般的な層であってもよい。材料４５０の正確な詳細形状は、用途に応じ、かつ具体的な要求機能結果に応じて変化する。
【００２３】
ＭＲ材料４５０は例えば表面つまりカテーテル２００の表面に配置される。本発明の一実施例において、ＭＲ材料４５０は親水性ポリマーからなる。一つの実施例において、ＭＲ材料４５０は磁気共鳴材料が組み入れられた親水性ポリマーからなる。磁気共鳴材料は、例えば合成や混合等、従来の手段によって親水性ポリマーに組み入れることができる。追加的な実施例においては、組み入れられた磁気共鳴材料は、常磁性金属塩、常磁性粒子（すなわち、超磁性酸化鉄、ジスプロシウムなど）、常磁性金属キレート、常磁性金属材料、ガドリニウム、Ｇｄ−ＤＴＰＡ（ガドリニウムジエチレントリアミンペンタ酢酸）、またはその他のある種の常磁性材料であるか、これらを含むことができる。さらに別の実施例においては、可溶性ガドリニウム塩が親水性ポリマーマトリックス中に組み入れられる。つまり架橋される。例えば、可溶性ガドリニウム塩は親水性ポリマーの一部になる。
【００２４】
本発明の一実施例において、ＭＲ材料４５０中の親水性材料は、カテーテル２００の使用中に体液と接触して、制御された態様で水和する。一つの実施例において、ＭＲ材料４５０は、カテーテル２００が患者に挿入される前に（一例であり必須ではないが、水もしくは生理的食塩水に、かつ一例であり必須ではないが５分間）予備浸漬または予備水和される。材料４５０中の親水性ポリマーは、親水性ポリマー内に捕捉された原子の緩和時間に影響を及ぼし（すなわち、緩和時間が短縮され）、カテーテル２００のＭＲＩ視感度は向上される。例えば、親水性ポリマーは捕捉された原子の緩和時間を調整して（すなわち、この分野で緩和ファクタとして知られるｔ１および／またはｔ２を短縮して）カテーテル２００のＭＲ画像の形成を可能にする。一つの実施例において、上述の影響を及ぼされた緩和時間の結果、カテーテル２００はＭＲＩ下で本質的に「照明（ライトアップ）」される。
【００２５】
一つの実施例において、ＭＲＩ視感度を向上するために、常磁性材料が親水性ポリマー中に組み入れられる。例えば、材料４５０中の常磁性材料は親水性ポリマーの緩和時間に影響を及ぼして（すなわち、緩和時間が短縮されて）、カテーテル２００のＭＲＩ視感度は向上される。一つの実施例において、短縮された緩和時間の結果、カテーテル２００はＭＲＩ下で本質的に「ライトアップ」される。常磁性材料は、常磁性イオン材料であるのがよいが、限定はされない。
【００２６】
ＭＲ材料４５０は種々のやり方で、例えばカテーテル２００（またはその他のある種の医療装置）の表面に適用することができる。本発明の範疇で、種々の異なる属性および物理的性質を有する種々の親水性ポリマーを使用することができる。選択された所与の親水性ポリマーが適当な物理的性質を有していたとすると、このポリマーは例えばカテーテル２００の表面上に被覆もしくは浸漬被覆することができる。一つの実施例において、磁気共鳴部品（常磁性材料）が親水性ポリマーに組み入れられ、親水性ポリマーおよび組み入れられた材料の双方がカテーテル２００の表面上に被覆もしくは浸漬被覆される。
【００２７】
その他の親水性ポリマーが、医療装置に関して種々の一体化もしくは取り付けモードを可能にする種々の物理的性質を呈する。例えば、ある種の親水性ポリマーは押し出し成型処理を使用してカテーテル２００に一体化もしくは取り付けることができる。押し出し処理を使用してカテーテル２００へ適用した後、ある種の押し出し成型可能な親水性ポリマーは本来的に特に望ましい機械的性質（好ましい引っ張り強さ、耐久性）を呈する。他の親水性ポリマーは、固有の機械的性質の点ではあまり好ましくない。
【００２８】
本発明の一実施例において、親水性ポリマーは構造ポリマーとの共有押し出し成型によってカテーテル２００に適用される。構造ポリマーは好ましい機械的性質を与える一方、親水性ポリマーは好ましい磁気共鳴視感度を与える。一つの実施例において、この共有押し出し成型された親水性材料はその耐久性を増大させるため架橋されることができる。架橋を遂行するために、放射、またはその他の化学的な手段を使用することができる。別の実施例において、親水性ポリマーは構造ポリマーと合成または混合される。合成および混合されたポリマーはカテーテル２００に適用されて、構造的に利点がある特性を有する材料を提供する。
【００２９】
本発明の一実施例において、親水性ポリマーは、組み入れられた常磁性の構成要素（すなわち、常磁性金属塩、常磁性金属キレート、常磁性金属複合体、その他の常磁性イオン材料、常磁性粒子他）とともに、構造ポリマーとの共有押し出しによってカテーテル２００上に適用される。構造ポリマーは好ましい機械的性質を与える一方、親水性ポリマーおよびそこに組み入れられた構成要素は望ましい磁気共鳴視感度を提供する。一つの実施例において、この共有押し出し成型された親水性材料は耐久性を増大させるために架橋されることができる。架橋を遂行するために、例えば放射またはその他の化学的手段を使用することができる。別の実施例において、親水性ポリマーは組み入れられた常磁性構成要素と一緒に、構造ポリマーと合成または混合される。合成または混合されたポリマーはカテーテル２００に適用され、構造的に利点がある特性を有する材料を提供する。
【００３０】
本発明の一実施例において、カテーテル２００は一般に親水性ポリマーが合成された構造ポリマーを使用して製造または構成される。言い換えれば、構造ポリマーは一般にカテーテル２００に形状を与え、その中に親水性ポリマーが合成されたものである。本質的に、カテーテル２００は本来的に材料４５０を含むように製造または構成される。この一体化／取り付け方法は、それ自体がカテーテル２００に取り付けまたは一体化される構造ポリマーに対して親水性ポリマーを合体させるのと対照をなす。
【００３１】
本発明の一実施例において、カテーテル２００は一般に合体された常磁性構成要素（すなわち、常磁性金属塩、常磁性金属キレート、常磁性金属複合体、その他の常磁性イオン材料、常磁性粒子他）と、親水性ポリマーを有する構造ポリマーを使用して製造または構成される。言い換えれば、構造ポリマーは、一般的にカテーテル２００に形状を与えるとともに、親水性ポリマーおよびその中に関連して合成された常磁性ポリマーを有する。本質的にカテーテル２００は本来的に材料４５０を含むように製造または構成される。この一体化／取り付け方法は、それ自体がカテーテル２００に取り付けまたは一体化される構造ポリマーに、親水性ポリマーを合体させるのと対照をなす。
【００３２】
上述した押し出し成型、つまり材料４５０の共有押し出し成型および一般的な合成手法は、被覆を超える代替品であり、上述の磁気共鳴特性を有する装置２００を提供する。被覆と比較される多くの例において、押し出し成型、共有押し出し成型、または一般の合成手法は、被覆および浸漬被覆より速くかつ安価にできる。
【００３３】
本発明の実施例において、上述した共有押し出し成型方法は、共有押し出しされる構成要素が種々の、可能性を有するパターンに組み入れられるように実施される。前記パターンは他方（例えば、一つまたは双方の層が全体的に連続していてもよいし、連続していなくてもよい）の上に直接適用された一つの構成要素を有する複数の層パターンを含む。別のパターンは縞模様に共有押し出し成型された構成要素を有する。例えば、限定ではないが、各々の共有押し出し成型された構成要素は、その他の縞と交互になっていなければならない。別のパターンは螺旋パターン状に共有押し出し成型された構成要素を有する。その他の共有押し出し成型パターンも本発明の範囲内で考慮されるべきである。
【００３４】
図４を参照して先に説明したように、ＭＲ材料４５０は本体４３５の内側（内腔４３０の近く）および／または本体４３５の外側に配置される。例えば、押し出し成型または共有押し出し成型は、ＭＲ材料４５０を本体４３５の内側（カテーテル２００の管状内側）に取り付けるための比較的簡単な適用手段を提供する。本体４３５の内側以内もしくは上にＭＲ材料４５０を配置することは特定の、例示する効果を有する。例えば、装置２００の使用中、一般に、本体４３５の内腔内側の方が本体４３５の外部つまり外側表面より液体交換を少なくすることができる。常磁性イオンが親水性ポリマーに組み入れられている実施例の範疇では、本体４３５の内側または上にＭＲ材料を配置した場合、親水性ポリマーからの常磁性材料の消耗を低減することができるようになる。このような配置は、磁気共鳴視感度作用をよりよく長寿命にすることができる。
【００３５】
押し出し成型または共有押し出し成型に適した親水性ポリマーの例は、酸化ポリエチレン（ＰＥＯ）、酸化ポリプロピレン（ＰＰＯ）、ポリビニルピロリドン（ＰＶＰ）、親水性ポリウレタン、ポリプロピレン、でんぷん、ポリカルボキシル酸、セルロースポリマー、ゼラチン、無水マレイン酸ポリマー、ポリアミド、ポリビニルアルコール、ポリアクリル酸、および酸化ポリエチレンである。しかしながら、その他の親水性ポリマーも本発明の範囲内で考慮されなければならない。共有押し出し成型に適した構造ポリマーの例は、ナイロン、ＰＥＢＡＸ、ポリウレタン、ポリエチレン、ＰＥＥＫ、ポリイミド、ポリエステルアミドコポリマー、およびポリエチルアミドコポリマーである。しかしながら、その他の構造ポリマーも本発明の範囲内で考慮されなければならない。
【００３６】
本記述はカテーテル２００の範疇で説明したが、本発明はその他の医療装置の範疇、特に、その他の内腔内医療装置の範疇で容易に適用することができる。例えば、上述の材料形態および取り付け／一体化方法を、移植装置、ガイドワイヤ、多くの形式のカテーテル（脈管内および非脈管内および食道カテーテルを含む）、剥離装置または向上されたＭＲＩ視感度を有するその他のあらゆる装置に容易に適用することができる。一つの実施例において、上述の材料形態および取り付け／一体化方法を、向上されたＭＲＩ視感度を有するバルーン（すなわち、血管形成バルーン）を形成するために適用することができる。管状装置の範疇では、上述のＭＲ視感度向上材料は、例えば、外側面、内側面もしくは両方の面に被覆され、押し出し成型され、または共有押し出し成型された。同様に、非管状装置に対しても、表面の一方または両方に材料が被覆され、押し出し成型され、または共有押し出し成型される。
【００３７】
本発明の実施例において、任意の被覆、限定されないが例えば任意の被覆４４０および４４５のような被覆が、ＭＲ材料４５０の露出面の上に配置される。例えば、潤滑性被覆を露出されたＭＲ材料４５０の上に配置もしくは置くことができる。また、治療薬品（すなわち、抗生物質）をＭＲ材料４５０の面上に配置もしくは置くことができる。例えば、このような被覆は、一般的にＭＲ材料４５０への体液のアクセスを完全にブロックしてはならず、親水性ポリマーは水和しないで、かつ親水性ポリマー内に組み入れられた常磁性イオンが、捕捉された体液に作用することが許されない。
【００３８】
結論として、本発明は、例えば、被覆、合成（すなわち、構成要素を所与の医療装置を形成する構造ポリマー内に合成する）、押し出し成型または共有押し出し成型処理によって、磁気共鳴視感度向上材料を形成し、これを医療装置に適用する方法に関する。前記材料は本装置にＭＲＩ下での可視性を与える。材料は一般に親水性ポリマーを含むが、合成された常磁性材料は含まれていてもいなくてもよい。本装置は、ニューロ脈管内マイクロカテーテル等のカテーテル、またはその他の適当なＭＲＩ医療装置である。本装置は例えば医者がＸ線の下で行う代わりに、開放ＭＲＩシステムの下で手順を実行するのを可能にする。本装置は例えば、患者および医者の両方への放射線露光を低減する。説明したＭＲＩ材料は例えば装置の追跡および位置決めに役立つ。本装置は例えば、移植装置であり、医者は３次元画像によってＭＲＩの下で移植片を監視／追跡することができる。
【００３９】
本発明は、例示の実施例を参照して説明したが、当業者は本発明の精神および範囲を逸脱することなく形式や詳細を変更できることを認識することができるであろう。
【図面の簡単な説明】
【００４０】
【図１】本発明の実施例を使用できる磁気共鳴撮影システムの一例の部分ブロック図である。
【図２】本発明の一実施例に係る磁気共鳴カテーテルの側面図である。
【図３】従来技術のカテーテルの拡大断面図である。
【図４】本発明の一実施例に係る図２に示したカテーテルの拡大断面図である。
【符号の説明】
【００４１】
１００・・・患者
１１０・・・支持台
１２０・・・磁界発生器
１３０・・・磁界勾配発生器
１４０・・・ＲＦ発生源
１５０・・・装置（カテーテル）
１６０・・・外部ＲＦ受信機
１７０・・・撮像追跡制御器
１８０・・・導体
１９０・・・表示手段
２００・・・磁気共鳴カテーテル
２１０・・・長尺本体
４１０・・・外周部
４２０・・・軸
４３０・・・内腔
４３５・・・管状カテーテル本体
４４０・・・同軸層
４４５・・・同軸外部保護層
４５０・・・磁気共鳴材料
【図１】
2005531335.tif 000003
【図２】
2005531335.tif 000004
【図３】
2005531335.tif 000005
【図４】
2005531335.tif 000006
【手続補正書】
【提出日】平成17年7月21日(2005.7.21)
【手続補正１】
【補正対象書類名】特許請求の範囲
【補正対象項目名】全文
【補正方法】変更
【補正の内容】
【特許請求の範囲】
【請求項１】
磁気共鳴撮影処理中の内腔内操作のための長尺医療装置において、
長尺本体と、
複数の常磁性イオンを有する物質を組み込む親水性ポリマーを含む押し出し成型材料とからなり、
前記押し出し成型材料が、前記長尺本体と一体化されて、前記磁気共鳴撮影処理中の磁気共鳴視感度を向上させるように構成されている長尺医療装置。
【請求項２】
前記複数の常磁性イオンを有する物質が、常磁性金属塩からなる請求項１の長尺医療装置。
【請求項３】
前記複数の常磁性イオンを有する物質が、常磁性金属キレートからなる請求項１の長尺医療装置。
【請求項４】
前記複数の常磁性イオンを有する物質が、常磁性金属複合物からなる請求項１の長尺医療装置。
【請求項５】
前記複数の常磁性イオンを有する物質が、常磁性のガドリニウム材料からなる請求項１の長尺医療装置。
【請求項６】
前記複数の常磁性イオンを有する物質が、ガドリニウムジエチレントリアミンペンタ酢酸材料からなる請求項１の長尺医療装置。
【請求項７】
前記親水性ポリマーが、
酸化ポリエチレン、酸化ポリプロピレン、ポリビニルピロリドン、親水性ポリウレタン、ポリカルボキシル酸、セルロースポリマー、ゼラチン、無水マレイン酸ポリマー、ポリアミド、ポリビニルアルコール、酸化ポリエチレン、およびポリアクリル酸からなるグループから選択された材料である請求項１の長尺医療装置。
【請求項８】
前記長尺本体が、外側面および内側内腔面を有する長尺管状本体であり、前記押し出し成型材料が前記内側内腔面に近接して配置されている請求項１の長尺医療装置。
【請求項９】
前記押し出し成型材料が、その中に親水性ポリマーを有する構造ポリマーをさらに含む請求項１の長尺医療装置。
【請求項１０】
前記長尺本体が、外側面および内側内腔面を有する管状長尺本体であり、
前記押し出し成型材料が前記外側面に近接して配置されている請求項１の長尺医療装置。
【請求項１１】
前記長尺本体が、外側面および内側内腔面を有する管状長尺本体であり、前記押し出し成型材料が前記外側面および内側内腔面双方に近接して配置されている請求項１の長尺医療装置。
【請求項１２】
能動的磁気共鳴撮影能力を向上させる装置アンテナをさらに含む請求項１の長尺医療装置。
【請求項１３】
装置アンテナとして動作するように構成され、能動的ＭＲＩ画像を向上させる補強機構をさらに備えている請求項１の長尺医療装置。
【請求項１４】
前記押し出し成型材料が共有押し出し成型材料であり、
該共有押し出し成型材料が、
複数の常磁性イオンを有する物質を組み込んでいる親水性ポリマーからなり、磁気共鳴視感度を向上させるように構成された第１の共有押し出し成型構成要素と、
構造ポリマーからなり、構造支持部を構成する第２の共有押し出し成型構成要素とからなる請求項１の長尺医療装置。
【請求項１５】
前記親水性ポリマーが、
酸化ポリエチレン、酸化ポリプロピレン、ポリビニルピロリドン、親水性ポリウレタン、ポリカルボキシル酸、セルロースポリマー、ゼラチン、無水マレイン酸ポリマー、ポリアミド、ポリビニルアルコール、酸化ポリエチレン、およびポリアクリル酸からなるグループから選択された材料を含んでいる請求項１４の長尺医療装置。
【請求項１６】
前記構造ポリマーが、
ナイロン、ＰＥＢＡＸ、ポリウレタン、ポリエチレン、ＰＥＥＫ、ポリイミド、ポリエステルアミドコポリマー、およびポリエチールアミドコポリマーからなるグループから選択された材料を含んでいる請求項１４の長尺医療装置。
【請求項１７】
前記共有押し出し成型材料が耐久性を向上させるように架橋されている請求項１４の長尺医療装置。
【請求項１８】
前記複数の常磁性イオンを有する物質が、常磁性金属塩からなる請求項１４の長尺医療装置。
【請求項１９】
前記複数の常磁性イオンを有する物質が、常磁性金属キレートからなる請求項１４の長尺医療装置。
【請求項２０】
前記複数の常磁性イオンを有する物質が、常磁性金属複合体からなる請求項１４の長尺医療装置。
【請求項２１】
前記共有押し出し成型材料が共有押し出し成型を使って前記長尺医療装置と一体化され、
前記第１および第２の共有押し出し成型構成要素は、一方の共有押し出し成型構成要素が他方の上に層として共有押し出し成型されている請求項１４の長尺医療装置。
【請求項２２】
前記共有押し出し成型材料が共有押し出し成型を用いて前記長尺医療装置と一体化され、
前記第１および第２の共有押し出し成型構成要素が、縞状のパターンとなるように共有押し出し成型されている請求項１４の長尺医療装置。
【請求項２３】
前記共有押し出し成型材料が共有押し出し成型を用いて前記長尺医療装置と一体化され、
前記第１および第２の共有押し出し成型構成要素が、螺旋縞状のパターンとなるように共有押し出し成型されている請求項１４の長尺医療装置。
【請求項２４】
前記複数の常磁性イオンを有する物質が、ガドリニウム材料からなる請求項１４の長尺医療装置。
【請求項２５】
前記複数の常磁性イオンを有する物質が、ガドリニウムジエチレントリアミンペンタ酢酸材料からなる請求項１４の長尺医療装置。
【請求項２６】
前記長尺本体が、外側面および内側内腔面からなる管状長尺本体であり、
前記共有押し出し成型材料が、前記内側内腔面に近接して配置されている請求項１４の長尺医療装置。
【請求項２７】
前記長尺本体が、外側面および内側内腔面からなる管状長尺本体であり、
前記共有押し出し成型材料が、前記外側面に近接して配置されている請求項１４の長尺医療装置。
【請求項２８】
前記長尺本体が、外側面および内側内腔面からなる管状長尺本体であり、
前記共有押し出し成型材料が、前記外側面および内側内腔面の両方に近接して配置されている請求項１４の長尺医療装置。
【請求項２９】
医療装置を準備し、
該医療装置に、複数の常磁性イオンを有する物質を組み込んでいる親水性ポリマーを一体化する医療装置の構成方法。
【請求項３０】
前記医療装置に親水性ポリマーを一体化することが、
バルーン装置に親水性ポリマーを一体化することである請求項２９の医療装置の構成方法。
【請求項３１】
前記医療装置に対する親水性ポリマーの一体化では、
構造ポリマーを複数の常磁性イオンを有する物質を組み込んだ親水性ポリマーと組み合わせて前記医療装置の面上に共有押し出し成型する請求項２９の医療装置の構成方法。
【請求項３２】
前記親水性ポリマーおよびこれに組み込まれた複数の常磁性イオンの少なくとも一つの部分が露出したままとなるように、前記医療装置に対して少なくとも一つの終端被覆を行う請求項２９の医療装置の構成方法。
【請求項３３】
前記医療装置の少なくとも一つの最終被覆において、
滑らかな被覆を医療装置に適用する請求項３２の医療装置の構成方法。
【請求項３４】
前記医療装置の少なくとも一つの最終被覆において、
治療薬品を含有する被覆を医療装置に適用する請求項３２の医療装置の構成方法。
【請求項３５】
磁気共鳴撮影処理中の内腔内操作のための長尺医療装置において、
長尺本体と、
複数の常時性粒子を有する物質を合成する親水性ポリマーを含む押し出し成型材料とを備え、
前記押し出し成型材料が、前記長尺本体と一体化され、前記磁気共鳴撮影処理中の磁気共鳴視感度を向上させるように構成されている長尺医療装置。
【請求項３６】
前記複数の常磁性粒子が、超磁性酸化鉄からなる請求項３５の長尺医療装置。
【請求項３７】
前記複数の常磁性粒子が、酸化ジスプロジウムからなる請求項３５の長尺医療装置。
【請求項３８】
前記押し出し成型材料が、共有押し出し成型材料であり、
該共有押し出し成型材料が、
複数の常磁性粒子を有する物質を組み入れる親水性ポリマーからなり、磁気共鳴視感度を向上させるように構成された第１の共有押し出し成型構成要素と、
構造ポリマーからなり、構造支持部を構成する第２の共有押し出し成型構成要素とからなる請求項３５の長尺医療装置。
【請求項３９】
磁気共鳴撮影処理中の内腔内操作のための長尺医療装置において、
長尺本体と、
親水性ポリマーを含む押し出し成型材料とを備え、
前記押し出し成型材料が、前記長尺本体と一体化され、前記磁気共鳴撮影処理中の磁気共鳴視感度を向上させるように構成されている長尺医療装置。
【請求項４０】
前記親水性ポリマーが、
酸化ポリエチレン、酸化ポリプロピレン、ポリビニルピロリドンおよび親水性ポリウレタン、ポリカルボキシル酸、セルロースポリマー、ゼラチン、無水マレイン酸ポリマー、ポリアミド、ポリビニルアルコール、酸化ポリエチレン、およびポリアクリル酸からなるグループから選択された材料である請求項３９の長尺医療装置。
【請求項４１】
前記長尺本体が外側面および内側内腔面を有する管状長尺本体であり、
前記押し出し成型材料が前記内側内腔面に近接して配置されている請求項３９の長尺医療装置。
【請求項４２】
前記押し出し成型材料が、前記親水性ポリマー中に合成された構造ポリマーをさらに備えている請求項３９の長尺医療装置。
【請求項４３】
前記長尺本体が外側面および内側内腔面を有する管状長尺本体であり、
前記押し出し成型材料が前記外側面に近接して配置されている請求項３９の長尺医療装置。
【請求項４４】
前記押し出し成型材料が、共有押し出し成型材料であり、
該共有押し出し成型材料が、
親水性ポリマーからなり、磁気共鳴視感度を向上させるように構成された第１の共有押し出し成型構成要素と、
構造ポリマーからなり、構造支持部を提供するように構成された第２の共有押し出し成型構成要素とからなる請求項３９の長尺医療装置。
【請求項４５】
装置アンテナとして動作し、能動的ＭＲＩ画像を向上させるように構成されている補強機構を備えている請求項３９の長尺医療装置。
【請求項４６】
向上された磁気共鳴視感度を有する医療装置の構成方法において、
医療装置を準備し、
該医療装置に
親水性ポリマーからなる材料を一体化させる医療装置の構成方法。
【請求項４７】
前記医療装置に親水性ポリマーを一体化することが、
バルーン装置に親水性ポリマーを一体化することである請求項４６の医療装置の構成方法。
【請求項４８】
向上された磁気共鳴撮影視感度を有する医療装置の使用方法において、
一体化された親水性ポリマーを組み入れる医療装置を準備し、
前記親水性ポリマーに液体を吸収させ、
磁気共鳴撮影処理の間、患者体内の内腔内環境で前記医療装置を使用する医療装置の使用方法。
【請求項４９】
前記医療装置の少なくとも一部分を予め浸漬しておき、前記親水性ポリマーに液体を吸収させる請求項４８の医療装置の使用方法。
【請求項５０】
前記医療装置の少なくとも一部分を患者の体液環境に導入して、前記親水性ポリマーに液体を吸収させる請求項４８の医療装置の使用方法。
【請求項５１】
複数の常磁性イオンを有する物質を含む一体化された親水性ポリマーを組み入れる医療装置を提供することで、一体化された親水性ポリマーを組み入れる前記医療装置を提供する請求項４８の医療装置の使用方法。
【請求項５２】
前記医療装置の少なくとも一部分を予め浸漬しておき、前記親水性ポリマーに液体を吸収させる請求項５１の医療装置の使用方法。
【請求項５３】
前記医療装置の少なくとも一部分を患者の体液環境に導入して、前記親水性ポリマーに液体を吸収させる請求項５１の医療装置の使用方法。
【国際調査報告】
2005531335.tif 000007
2005531335.tif 000008
2005531335.tif 000009
2005531335.tif 000010